【手続補正書】
【提出日】平成29年6月2日(2017.6.2)
【手続補正１】
【補正対象書類名】特許請求の範囲
【補正対象項目名】全文
【補正方法】変更
【補正の内容】
【特許請求の範囲】
【請求項１】
呼吸している対象者と同期して気道圧解放換気を行う圧調節換気システムであって、
（ａ）呼吸可能ガスの加圧流を発生させる圧力発生器と、
（ｂ）前記呼吸可能ガスの加圧流の１つ又は複数のガスパラメータに関する情報を伝える出力信号を生成する１つ又は複数のセンサと、
（ｃ）コンピュータプログラムモジュールを実行する１個又は複数個のプロセッサと
を含み、
前記コンピュータプログラムモジュールが、
（１）前記呼吸している対象者の吸気流段階及び呼気流段階の始まり及び終わりを検出することを含む、前記呼吸している対象者の前記吸気流段階及び前記呼気流段階を検出する同期モジュールであって、前記検出は前記１つ又は複数のセンサの前記出力信号に部分的に基づく、同期モジュールと、
（２）開始時間及び終了時間を有する時間間隔を定める間隔モジュールであって、前記時間間隔は第１の開始時間及び第１の終了時間を有する第１の時間間隔を含む、間隔モジュールと、
（３）第１の圧力範囲と前記第１の圧力範囲より高い第２の圧力範囲との間を上下する圧力を有する呼吸可能ガスの加圧流を送り込むために前記圧力発生器を制御する制御モジュールであって、前記第２の圧力範囲で呼吸可能ガスの加圧流を送り込むことが、前記第１の圧力範囲で呼吸可能ガスの加圧流を送り込む時のガス圧に対して前記対象者の気道内のガス圧を減らして、前記第２の圧力範囲で前記対象者の肺から二酸化炭素が呼出されるのを助けるように制御する制御モジュールであって、前記圧力発生器を制御することが、
（ｉ）前記第１の時間間隔の前記第１の開始時間に前記第１の圧力範囲を用いて前記対象者の前記気道に前記呼吸可能ガスの加圧流を送り込むことを実現すること、
（ｉｉ）前記第１の時間間隔の前記第１の開始時間の後に生じる第１の呼気流段階の始まりを前記同期モジュールによって検出することに応じて、前記第１の圧力範囲から前記第２の圧力範囲への前記加圧流の調節を実現すること、
（ｉｉｉ）前記第１の呼気流段階にわたり前記第２の圧力範囲における前記呼吸可能ガスの加圧流の送り込みの維持を実現すること、及び
（ｉｖ）前記第１の時間間隔内に始まる前記第１の呼気流段階後の第２の呼気流段階にわたり前記第１の圧力範囲における前記呼吸可能ガスの加圧流の送り込みの維持を実現すること
を含む、制御モジュールと
を含む、システム。
【請求項２】
前記第１の呼気流段階にわたり前記第２の圧力範囲における前記呼吸可能ガスの加圧流の前記送り込みを維持することが、前記第１の呼気流段階の前記始まりと前記第１の呼気流段階の直後の吸気流段階の前記始まりとの間、前記第２の圧力範囲における前記呼吸可能ガスの加圧流の前記送り込みを維持すること、及びその後、前記第２の圧力範囲から前記第１の圧力範囲への前記呼吸可能ガスの加圧流の前記圧力の調節を実現することを含むように前記制御モジュールが更に構成される、請求項１に記載のシステム。
【請求項３】
前記第１の呼気流段階にわたり前記第２の圧力範囲における前記呼吸可能ガスの加圧流の前記送り込みを維持することが、前記第１の呼気段階の前記始まりと前記第１の呼気流段階の前記始まりの後の閾値制限時間の終わりとの間、前記第２の圧力範囲における前記呼吸可能ガスの加圧流の前記送り込みを維持すること、及びその後、前記第２の圧力範囲から前記第１の圧力範囲への前記呼吸可能ガスの加圧流の前記圧力の調節を実現することを含むように前記制御モジュールが更に構成される、請求項１に記載のシステム。
【請求項４】
前記第１の時間間隔内で前記第１の呼気流段階の前記始まりが前記同期モジュールによって検出されないことに応じて、前記第１の圧力範囲から前記第２の圧力範囲への前記加圧流の調節を実現することは、前記第１の時間間隔の前記開始時間からの閾値制限時間が切れたのを前記同期モジュールによって検出することに応じて行われるように前記制御モジュールが更に構成される、請求項１に記載のシステム。
【請求項５】
前記第２の呼気流段階にわたり前記第１の圧力範囲において前記呼吸可能ガスの加圧流の前記送り込みを維持することが、前記第１の圧力範囲内の前記加圧流の前記圧力水準を変えることを含むように前記制御モジュールが更に構成される、請求項１に記載のシステム。
【請求項６】
圧力発生器と、前記圧力発生器によって生成される加圧流の１つ又は複数のガスパラメータに関する情報を伝える出力信号を生成する１つ又は複数のセンサと、コンピュータプログラムモジュールを実行する１個又は複数個のプロセッサと、電源と、ユーザインタフェースと、電子記憶域とを含む換気システムによって実施される、呼吸している対象者と同期して気道圧解放換気を行うために前記圧力発生器を制御するための方法であって、
前記圧力発生器によって前記呼吸可能ガスの加圧流を発生させるステップと、
前記１つ又は複数のセンサによって前記呼吸可能ガスの加圧流の１つ又は複数のガスパラメータに関する情報を伝える出力信号を生成するステップと、
前記プロセッサ上でコンピュータプログラムモジュールを実行するステップと、
前記呼吸している対象者の吸気流段階及び呼気流段階の始まり及び終わりを検出するステップを含む、前記呼吸している対象者の前記吸気流段階及び前記呼気流段階を検出するステップと、
時間間隔の開始時間及び終了時間を定めるステップを含む、周期的な気道圧解放換気を行うための時間間隔を定めるステップであって、前記時間間隔は第１の開始時間及び第１の終了時間を有する第１の時間間隔を含むステップと、
圧力範囲間を上下する圧力を有する呼吸可能ガスの加圧流を送り込むために前記圧力発生器を制御するステップであって、前記圧力発生器を制御するステップが、
第１の圧力範囲と前記第１の圧力範囲より高い第２の圧力範囲との間を上下する圧力を有する呼吸可能ガスの加圧流を送り込むために前記圧力発生器を制御するステップであって、前記第２の圧力範囲で呼吸可能ガスの加圧流を送り込むことが、前記第１の圧力範囲で呼吸可能ガスの加圧流を送り込むことに対して前記対象者の気道内のガス圧を減らして、前記第２の圧力範囲で前記対象者の肺から二酸化炭素が呼出されるのを助けるように制御するステップ、
前記第１の時間間隔の前記第１の開始時間に前記第１の圧力範囲を用いて前記対象者の前記気道に対する前記呼吸可能ガスの加圧流の送り込みを実現するステップ、
前記第１の時間間隔の前記第１の開始時間の後に生じる第１の呼気流段階の始まりを検出することに応じて、前記第１の圧力範囲から前記第２の圧力範囲への前記加圧流の調節を実現するステップ、
前記第１の呼気流段階にわたり前記第２の圧力範囲における前記呼吸可能ガスの加圧流の送り込みの維持を実現するステップ、及び
前記第１の時間間隔内に始まる前記第１の呼気流段階後の第２の呼気流段階にわたり前記第１の圧力範囲における前記呼吸可能ガスの加圧流の送り込みの維持を実現するステップを含む、前記圧力発生器を制御するステップと
を含む、方法。
【請求項７】
前記第１の呼気流段階にわたり前記第２の圧力範囲における前記呼吸可能ガスの加圧流の送り込みを維持するために前記圧力発生器を制御するステップが、前記第１の呼気流段階の前記始まりと前記第１の呼気流段階の直後の吸気流段階の前記始まりとの間、前記第２の圧力範囲において前記呼吸可能ガスの加圧流の前記送り込みを維持するステップ、及びその後、前記第２の圧力範囲から前記第１の圧力範囲への前記呼吸可能ガスの加圧流の前記圧力の調節を実現するステップを含む、請求項６に記載の方法。
【請求項８】
前記第１の呼気流段階にわたり前記第２の圧力範囲における前記呼吸可能ガスの加圧流の送り込みを維持するために前記圧力発生器を制御するステップが、前記第１の呼気段階の前記始まりと前記第１の呼気流段階の前記始まりの後の閾値制限時間の終わりとの間、前記第２の圧力範囲において前記呼吸可能ガスの加圧流の前記送り込みを維持するステップ、及びその後、前記第２の圧力範囲から前記第１の圧力範囲への前記呼吸可能ガスの加圧流の前記圧力の調節を実現するステップを含む、請求項６に記載の方法。
【請求項９】
前記圧力発生器を制御するステップが、前記第１の時間間隔の前記開始時間後の閾値制限時間が切れたのを検出することに応えて、前記第１の時間間隔内で前記第１の呼気流段階の前記始まりが検出されないことに応じて前記第１の圧力範囲から前記第２の圧力範囲への前記加圧流の調節を実現するステップを更に含む、請求項６に記載の方法。
【請求項１０】
前記第２の呼気流段階にわたり前記第１の圧力範囲において前記呼吸可能ガスの加圧流の前記送り込みを維持するステップが、前記第１の圧力範囲内の前記加圧流の前記圧力水準を変えるステップを含む、請求項６に記載の方法。
【請求項１１】
呼吸している対象者と同期して気道圧解放換気を行う圧調節換気システムであって、
呼吸可能ガスの加圧流を発生させるための手段と、
前記対象者の前記気道に前記呼吸可能ガスの加圧流を送るための手段と、
前記呼吸可能ガスの加圧流の１つ又は複数のガスパラメータに関する情報を伝える出力信号を生成するための手段と、
コンピュータプログラムモジュールを実行するための手段と、
前記呼吸している対象者の吸気流段階及び呼気流段階の始まり及び終わりを検出することを含む、前記呼吸している対象者の前記吸気流段階及び前記呼気流段階を検出するための手段と、
時間間隔の開始時間及び終了時間を定めることを含む、周期的な気道圧解放換気を行うための時間間隔を定めるための手段であって、前記時間間隔は第１の開始時間及び第１の終了時間を有する第１の時間間隔を含む手段と、
圧力範囲間を上下する圧力を有する呼吸可能ガスの加圧流を送り込むために前記呼吸可能ガスの加圧流を発生させるための手段を制御するための手段であって、前記呼吸可能ガスの加圧流を発生させるための手段を制御するための前記手段は、
第１の圧力範囲と前記第１の圧力範囲より高い第２の圧力範囲との間を上下する圧力を有する呼吸可能ガスの加圧流を送り込むために前記呼吸可能ガスの加圧流を発生させるための手段を制御するための手段であって、前記第２の圧力範囲で呼吸可能ガスの加圧流を送り込むことが、前記第１の圧力範囲で呼吸可能ガスの加圧流を送り込む時のガス圧に対して前記対象者の気道内のガス圧を減らして、前記第２の圧力範囲で前記対象者の肺から二酸化炭素が呼出されるのを助けるように制御するための手段、
前記第１の時間間隔の前記第１の開始時間に前記第１の圧力範囲を用いて前記対象者の前記気道に対する前記呼吸可能ガスの加圧流の送り込みを実現するための手段、
前記第１の時間間隔の前記第１の開始時間の後に生じる第１の呼気流段階の始まりを検出することに応じて、前記第１の圧力範囲から前記第２の圧力範囲への前記加圧流の調節を実現するための手段、
前記第１の呼気流段階にわたり前記第２の圧力範囲における前記呼吸可能ガスの加圧流の送り込みの維持を実現するための手段、及び
前記第１の時間間隔内に始まる前記第１の呼気流段階後の第２の呼気流段階にわたり前記第１の圧力範囲における前記呼吸可能ガスの加圧流の送り込みの維持を実現するための手段を含む、前記呼吸可能ガスの加圧流を発生させるための手段を制御するための手段と
を含む、システム。
【請求項１２】
前記第１の呼気流段階にわたり前記第２の圧力範囲における前記呼吸可能ガスの加圧流の送り込みを維持することが、前記第１の呼気流段階の前記始まりと前記第１の呼気流段階の直後の吸気流段階の前記始まりとの間、前記第２の圧力範囲において前記呼吸可能ガスの加圧流の前記送り込みを維持すること、及びその後、前記第２の圧力範囲から前記第１の圧力範囲への前記呼吸可能ガスの加圧流の前記圧力の調節を実現することを含むように前記呼吸可能ガスの加圧流を発生させるための手段を制御するための前記手段が更に構成される、請求項１１に記載のシステム。
【請求項１３】
前記第１の呼気流段階にわたり前記第２の圧力範囲における前記呼吸可能ガスの加圧流の送り込みを維持することが、前記第１の呼気段階の前記始まりと前記第１の呼気流段階の前記始まりの後の閾値制限時間の終わりとの間、前記第２の圧力範囲において前記呼吸可能ガスの加圧流の前記送り込みを維持すること、及びその後、前記第２の圧力範囲から前記第１の圧力範囲への前記呼吸可能ガスの加圧流の前記圧力の調節を実現することを含むように前記呼吸可能ガスの加圧流を発生させるための手段を制御するための前記手段が更に構成される、請求項１１に記載のシステム。
【請求項１４】
前記第１の時間間隔内で前記第１の呼気流段階の前記始まりが前記呼吸している対象者の前記吸気流段階及び前記呼気流段階を検出するための手段によって検出されないことに応じて、前記第１の圧力範囲から前記第２の圧力範囲への前記加圧流の調節を実現することは、前記第１の時間間隔の前記開始時間から始まる閾値制限時間が切れたのを前記吸気流段階及び前記呼気流段階を検出するための手段によって検出することに応じて行われるように前記呼吸可能ガスの加圧流を発生させるための手段を制御するための前記手段が更に構成される、請求項１１に記載のシステム。
【請求項１５】
前記第２の呼気流段階にわたり前記第１の圧力範囲において前記呼吸可能ガスの加圧流の前記送り込みを維持することが、前記第１の圧力範囲内の前記加圧流の前記圧力水準を変えることを含むように前記呼吸可能ガスの加圧流を発生させるための手段を制御するための前記手段が更に構成される、請求項１１に記載のシステム。